(57)【要約】  無線送信／受信装置（ＷＴＲＵ）においてサービスが利用できないことをブロードキャスト／マルチキャスト制御（ＢＭＣ）エンティティに通知する方法が開示される。ユーザがブロードキャスト／マルチキャストサービス（ＢＭＳ）をアクチベートさせると、ＷＴＲＵは、ＢＭＳスケジュールに従ってＢＭＳメッセージを受け取る。無線リソース制御（ＲＲＣ）エンティティは、セルにおいてＢＭＳが利用できるかどうか絶えず監視する。ＲＲＣエンティティは、ＢＭＳサービスが利用できないことを検出した場合、メッセージを送って、ＢＭＳが利用できないことをＢＭＣエンティティに知らせる。
2007513577.tif 000002
【特許請求の範囲】
【請求項１】
無線送信／受信装置（ＷＴＲＵ）においてサービスが利用できないことをブロードキャスト／マルチキャスト制御（ＢＭＣ）エンティティに通知する方法であって、
ＷＴＲＵにおいてブロードキャスト／マルチキャストサービス（ＢＭＳ）をアクチベートするステップ、
セルにおいてＢＭＳの利用の可能性をモニタするステップ、及び、
ＢＭＳが利用できないことが検出されたときに、該ＢＭＳの使用不能についてＢＭＣエンティティに指示するステップ
を含むことを特徴とする方法。
【請求項２】
前記ＢＭＳの前記使用不能をユーザに通知するステップをさらに含むことを特徴とする請求項１に記載の方法。
【請求項３】
前記ＢＭＣエンティティが、前記ＢＭＳの前記使用不能を非アクセス層（ＮＡＳ）に通知し、順番に該ＮＡＳが、前記ＢＭＳの前記使用不能を前記ユーザに通知することを特徴とする請求項２に記載の方法。
【請求項４】
前記ＢＭＣエンティティがＢＭＣ＿ＥＲＲＯＲ＿ＩＮＤを送って、前記ＢＭＳの前記使用不能を前記ＮＡＳに指示することを特徴とする請求項３に記載の方法。
【請求項５】
無線リソース制御（ＲＲＣ）エンティティが、前記ＢＭＳの前記使用不能を前記ＮＡＳに通知することを特徴とする請求項２に記載の方法。
【請求項６】
前記ＢＭＳの前記使用不能の前記指示後に、前記ＢＭＳの利用の可能性を常にモニタするステップ、
ＢＭＳが利用できるときにＢＭＳメッセージの不連続受信（ＤＲＸ）に必要なシステム情報を検索するステップ、及び、
前記システム情報を用いてＢＭＳ操作を再開するステップ
をさらに含むことを特徴とする請求項１に記載の方法。
【請求項７】
前記ＷＴＲＵは、前記ＷＴＲＵがＤＲＸに必要なシステム情報を獲得することのできない行き詰った状況に陥った後に、ＢＭＳメッセージのＤＲＸに必要なシステム情報を検索することで、新しいＤＲＸスケジュールに再同期することを特徴とする請求項６に記載の方法。
【請求項８】
前記ＢＭＳの前記使用不能の前記指示は、原因の種類を含むことを特徴とする請求項１に記載の方法。
【請求項９】
ＢＭＳが再度利用可能になるまで利用できないと指示されたときに、該ＢＭＳが休止状態に入るステップをさらに含むことを特徴とする請求項１に記載の方法。
【請求項１０】
メッセージを受け取るための物理層エンティティ、
該メッセージの配信シーケンスを制御するための無線リンク制御（ＲＬＣ）エンティティ、
ブロードキャスト／マルチキャストサービス（ＢＭＳ）を制御するためのブロードキャスト／マルチキャスト制御（ＢＭＣ）エンティティ、及び、
前記物理層エンティティ、前記ＲＬＣエンティティおよび該ＢＭＣエンティティの構成を制御し、ＢＭＳが利用できないことを前記ＢＭＣエンティティに通知するための無線リソース制御（ＲＲＣ）エンティティ
を備えることを特徴とする無線送信／受信装置（ＷＴＲＵ）。
【請求項１１】
前記ＢＭＣエンティティは前記ＢＭＳの前記使用不能をユーザに通知することを特徴とする請求項１０に記載のＷＴＲＵ。
【請求項１２】
前記ＢＭＣエンティティが、前記ＢＭＳの前記使用不能を非アクセス層（ＮＡＳ）に通知し、順番に該ＮＡＳが、前記ＢＭＳの前記使用不能を前記ユーザに通知することを特徴とする請求項１１に記載のＷＴＲＵ。
【請求項１３】
前記ＢＭＣエンティティがＢＭＣ＿ＥＲＲＯＲ＿ＩＮＤを送って、前記ＢＭＳの前記使用不能を前記ＮＡＳに指示することを特徴とする請求項１２に記載のＷＴＲＵ。
【請求項１４】
前記ＲＲＣエンティティはユーザに前記ＢＭＳの前記使用不能を通知することを特徴とする請求項１０に記載のＷＴＲＵ。
【請求項１５】
前記ＢＭＳの前記使用不能の前記指示は、原因の種類を含むことを特徴とする請求項１０に記載のＷＴＲＵ。
【請求項１６】
ＢＭＳが再度利用可能になるまで利用できないと指示されたときに、該ＢＭＳが休止状態に入ることを特徴とする請求項１０に記載のＷＴＲＵ。
【発明の詳細な説明】
【技術分野】
【０００１】
本発明は無線通信システムに関する。より詳細には、本発明は、無線送信／受信装置（ＷＴＲＵ）においてブロードキャスト／マルチキャスト制御（ＢＭＣ）エンティティにサービスが利用できないことを通知する方法に関する。
【背景技術】
【０００２】
ブロードキャスト／マルチキャスト制御（ＢＭＣ）は、ユニバーサル移動電話システム（ＵＭＴＳ）プロトコルスタックのユーザプレーンにおけるレイヤ２（Ｌ２）の下位レイヤ（ｓｕｂ−ｌａｙｅｒ）である。ＢＭＣはセルブロードキャストメッセージを配信し、受信するのに必要なサービスを提供する。ユーザは、いくつかの種類のブロードキャストサービスまたはマルチキャストサービスに加入し、ブロードキャスト／マルチキャストサービス（ＢＭＳ）スケジュールに従って特定のブロードキャストメッセージまたはマルチキャストメッセージを選択的に受信する。
【０００３】
ＷＴＲＵは、あるセルの境界を横切って移動する際に、セル選択および再選択プロセスを行う。このセル選択および再選択プロセスの間、ＷＴＲＵは、セルブロードキャストサービス（ＣＢＳ）が利用できず、または分断されるエリアに入ることがある。目下のところ、ユーザが、ＣＢＳが現在利用できないことを知るための機構はない。
【０００４】
その上、セル変更のため、以前のセルにおいて構成された共通トラフィックチャネル（ＣＴＣＨ）での不連続受信（ＤＲＸ）スケジュールが、現在のセルでは無効になる。この段階で、ＵＭＴＳ物理層（ＰＨＹ）は、無線リソース制御（ＲＲＣ）を介してＢＭＣにより、新しいＤＲＸスケジュールを用いて新しいセルで再構成される必要がある。現時点では、ＢＭＣが、現在構成されているＤＲＸスケジュールがセル再選択のため無効であることを知るための機構はない。有効な新しいスケジュールが受け取られるまで、ＰＨＹはＢＭＳを適正に受信することができない。
【０００５】
図１は、非アクセス層（ＮＡＳ）、無線リソース制御（ＲＲＣ）、ＢＭＣ、無線リンク制御（ＲＬＣ）およびＰＨＹエンティティを含む、先行技術に記載のＷＴＲＵ１５０によるＢＭＣプロセス１００の信号流れ図である。ユーザがＢＭＳをアクチベートさせると、ＮＡＳからＢＭＣにアクチベート要求が送られ（ステップ１０２）、ＢＭＣはＮＡＳにサービスを提供する。ユーザがＢＭＳをアクチベートさせるのが初めてである場合、ＢＭＣは、Ｓｔａｒｔ＿ＣＢメッセージを送ることによって、ＲＲＣに、セルブロードキャスト（ＣＢ）メッセージ受信を開始すべきことを指示する（ステップ１０４）。ＲＲＣはシステム情報を受け取り、ＣＢ構成に従ってＰＨＹを構成する（ステップ１０６）。ＰＨＹは、無線インターフェース（図示せず）を介して、ＢＭＳスケジュールメッセージを含むすべてのＢＭＳメッセージを受け取って（ステップ１０８）、これらのＢＭＳメッセージをＲＬＣに転送し、ＲＬＣはこれらをＢＭＣに転送する（ステップ１１０）。
【０００６】
ＢＭＳスケジュールメッセージは、次のＤＲＸスケジュールにおいてどのＣＢメッセージが送られるか知らせる。ＢＭＣはユーザのＢＭＳのスケジュールを検索し、および、ＲＲＣにＳｔａｒｔ＿ＤＲＸメッセージを送って、ＷＴＲＵが受け取るべきＢＭＳメッセージを指示する（ステップ１１２）。次いで、ＲＲＣは、ＰＨＹがどの時間間隔でメッセージを受け取るべきか構成する（ステップ１１４）。その結果、対象となるＣＢメッセージだけがＰＨＹによって受け取られ、ＢＭＣとユーザとに配信される（ステップ１１６、１１８、１２０）。ユーザがそのセルを横切って移動するときに、セル再選択手順が開始される（ステップ１２２）。
【発明の開示】
【発明が解決しようとする課題】
【０００７】
新しいセルでＣＢＳがサポートされておらず、または分断される場合、ユーザは、ＢＭＳを適正に受信することができない。ユーザには、新しいセルにおけるＣＢＳの使用不能についてどんな情報もない。新しいセルがＣＢＳをサポートしており、新しい共通トラフィックチャネル（ＣＴＣＨ）が獲得される場合であっても、ＰＨＹには、適切なＣＢメッセージを選択するのに必要なＤＲＸスケジュールがない。ＢＭＣには、セル再選択が行われていることを知るどんな方法もない。ＰＨＹは、更新された適切なＤＲＸスケジュールがないため、どんな関連するブロックセットも取得することができない。ＰＨＹが新しいセルにおいて旧いセルのＤＲＸスケジュールを適用し続ける場合、ＢＭＣは、スケジュールメッセージを受信し損なう可能性があるため、関連するメッセージを受け取るように同期することが全くできないおそれがある。
【課題を解決するための手段】
【０００８】
本発明は、サービスが利用できないことをＢＭＣに通知する方法に関するものである。ユーザ（すなわちＷＴＲＵ）がＢＭＳをアクチベートさせると、ＷＴＲＵはＢＭＳスケジュールメッセージに従ってＢＭＳメッセージを受信する。ＲＲＣは、セルにおいてＢＭＳが利用できるかどうか絶えず監視する。ＲＲＣはＢＭＳサービスが利用できないことを検出した場合、ＢＭＣにメッセージを送ってＢＭＳが利用できないことをＢＭＣに知らせる。
【０００９】
本発明によれば、ＢＭＣ操作が、より予測可能で、堅固で、しかも信頼できるものになる。ＷＴＲＵに、ＣＢＳが利用できないことの指示をタイムリーに行うことができる。セル再選択後に更新されたＤＲＸスケジュールを受け取っていないＰＨＹと、そのようなセル再選択が行われていることを知らないＢＭＣとの間に起こり得るはずの行き詰った（dead lock）状況が回避され、通常の操作を混乱なくスムーズに行うことができる。本発明は、ＵＭＴＳやＧＳＭなど、異なる無線通信システムにも適用することができる。
【発明を実施するための最良の形態】
【００１０】
以下において、「ＷＴＲＵ」という用語は、それだけに限らないが、ユーザ機器、移動局、固定式または移動式加入者装置、ページャ、または無線環境で動作することのできる他の任意の種類の機器を含む。以下で言及されるとき、「基地局」という用語は、それだけに限らないが、ノードＢ、サイト制御装置、アクセスポイントまたは無線環境における他の任意の種類のインターフェース機器を含む。
【００１１】
本発明は、セル再選択、サービスが使用できないこと、サービス再開、およびセル再選択後の新しいＤＲＸスケジュールを用いたＰＨＹの再構成をＢＭＣに通知する機構を提供する。また、本発明は、サービス分断および再開をＮＡＳに知らせる機構も提供する。
【００１２】
図２は、本発明の一実施形態による、ＷＴＲＵ２５０におけるエンティティ間のＢＭＳプロセス２００を示す信号流れ図である。ＷＴＲＵ２５０は、ＰＨＹ２５２、ＲＬＣ２５４、ＢＭＣ２５６、ＲＲＣ２５８、およびＮＡＳ２６０を備える。これらのエンティティは当分野の技術者にはよく知られているが、以下に、各エンティティの機能の簡単な概要を示す。ＰＨＹ２５２は、ＷＲＴＵ２５０のハードウェア、無線送信機および受信機とインターフェースして、データを構成し、受信し、送信する。
【００１３】
ＲＬＣ２５４は、透過的な無応答および肯定応答のデータ転送をサポートすることによってリンク層機能を提供する。ＲＬＣ２５４は、メディアアクセス制御（ＭＡＣ）プロトコル層とインターフェースし、ＭＡＣプロセス層はＰＨＹ２５２とインターフェースして、ＲＬＣ２５４へのデータトランスポートのためのトランスポートチャネルを提供する。
【００１４】
ＢＭＣ２５６はブロードキャストメッセージおよびマルチキャストメッセージの受信を司る制御エンティティである。ＢＭＣ２５６は、ユーザが受信対象とする、または受信契約しているＢＭＣメッセージのメッセージ識別子を追跡する。また、ユーザが興味の対象とするメッセージを含む特定のＣＴＣＨブロックセットだけを受け取るようにＰＨＹ２５２を構成するためのＤＲＸスケジュールも生成する。ゆえに、不連続受信を用いることによって、ＢＭＣ２５６は電力節約に役立つ。
【００１５】
ＲＲＣ２５８は、無線リソース制御プロトコル層であり、無線リソースを管理し、他の層を構成する。また、ＲＲＣ２５８は、測定を行い、システム情報およびページング情報を受け取る。
【００１６】
ＮＡＳ２６０は、非アクセス層であり、移動度およびセッション管理を追跡する。また、ＮＡＳ２６０は、ＢＭＣ２５６を構成し、ＢＭＣ２５６とインターフェースしてブロードキャストメッセージを受け取る。
【００１７】
以下では、図２のＢＭＳプロセス２００での信号流れ図を参照して、ＷＴＲＵ２５０のすべての要素２５２〜２６０間の相互作用について説明する。ユーザがＢＭＳをアクチベートさせると、ＮＡＳ２６０からＢＭＣ２５６にアクチベート要求が送られる（ステップ２０２）。ユーザがＢＭＳをアクチベートさせるのが初めてである場合、ＢＭＣ２５６は、Ｓｔａｒｔ＿ＣＢメッセージを送ることによって、ＲＲＣ２５８に、セルブロードキャスト（ＣＢ）メッセージ受信を開始すべきことを指示する（ステップ２０４）。ＲＲＣ２５８は、ＣＢ構成に従ってＰＨＹ２５２を構成する（ステップ２０６）。ＰＨＹ２５２は、ＲＲＣ２５８によって指定された構成に従ってＣＴＣＨを介して（ステップ２０７）基地局からＢＭＣスケジュールメッセージを含むすべてのＢＭＳメッセージを受け取り、ＢＭＣメッセージを含むすべてのＣＴＣＨブロックセットをＲＬＣ２５４に転送し（ステップ２０８）、ＲＬＣ２５４はこれらをＢＭＣ２５６に転送する（ステップ２１０）。
【００１８】
ＢＭＣスケジュールメッセージは、次のＤＲＸスケジュールにあるとき、どのＣＢメッセージが送られるかをＢＭＣ２５６に知らせる。ＢＭＣ２５６は、ユーザのＢＭＳのスケジュールを検索し、ＲＲＣ２５８にＳｔａｒｔ＿ＤＲＸメッセージを送って、１組のＣＴＣＨブロックセット指標を提供することによってＷＴＲＵ２５０が受信すべきＢＭＳメッセージを指示する（ステップ２１２）。次いで、ＲＲＣ２５８は、ＰＨＹ２５２がどの時間間隔でメッセージを受け取るべきか構成する（ステップ２１４）。その結果、以下で説明するように、対象となるＣＢメッセージだけがＰＨＹ２５２によって受け取られ、ＢＭＣ２５６とユーザとに配信される。
【００１９】
ＰＨＹ２５２は、ＤＲＸスケジュールを受け取った後、予定されたブロックセットだけに受信機をオンにすることによってＣＴＣＨブロックセットを選択的に受け取り、ステップ２１６で示すようにこれらをＲＬＣ２５４に転送する。次いで、ＲＬＣ２５４は、受け取った情報をＢＭＣ２５６に転送する（ステップ２１８）。受け取ったメッセージがセルブロードキャストメッセージ（ＣＢＳ）を含む場合、ＢＭＣ２５６は、そのメッセージをＮＡＳ２６０に転送する（ステップ２２０）。受け取ったメッセージがスケジュールメッセージを含む場合、ＢＭＣ２５６は次のスケジュール期間のスケジュールメッセージを生成し、ＲＲＣ２５８にＳｔａｒｔ＿ＤＲＸメッセージを送る（ステップ２１２）。
【００２０】
ユーザがセルを横切って移動すると、セル再選択手順が開始される（ステップ２２２）。ＲＲＣ２５８は、ブロードキャスト制御チャネル（ＢＣＣＨ）によるものなど、近隣のセルからブロードキャストされるメッセージを絶えず監視する。ＲＲＣ２５８は、セルのＢＣＣＨを監視して、システム情報を受け取る。システム情報タイプ５および６は、現在のセルにおいてＣＴＣＨが利用できるかどうか、およびＣＢＳに関連する情報を示す情報含む。システム情報タイプ５メッセージは、現在のセルにおいてＣＴＣＨが利用できるかどうかを示すブール値を含み、このセルにおいてＣＴＣＨが利用できる場合には、ＣＢＳに関連する情報を含む。ＲＲＣ２５８は、ＢＣＣＨを介して新しいセルからいずれかのメッセージを受け取ることができなかった場合、その新しいセルにおいてはＣＢＳが利用できないと認識する。
【００２１】
本発明は、ＲＲＣ２５８からＢＭＣ２５６への新しい信号（ＣＢＭＣ＿ＣＢＳ＿ＵＮＡＶＡＩＬＡＢＬＥ）を導入して、ＣＢＳが利用できないこと、または分断されていることを示すものである。ＲＲＣ２５８は、ＢＭＳが利用できないことを検出した場合、ＢＭＣ２５６にメッセージＣＢＭＣ＿ＣＢＳ＿ＵＮＡＶＡＩＬＡＢＬＥを送って、ＢＭＳが分断されている、または利用できないことをＢＭＣ２５６に知らせる（ステップ２２４）。任意選択で、ＲＲＣ２５８からＢＭＣ２５６に、それだけに限らないが、既存の信号への列挙または原因の種類の付加を含めて、ＮＡＳ２６０に伝えられることができるはずの他の通知も送ることができる。ＣＢＳサービスが分断されている、または利用できないことは、ＣＢＭＣ＿ＣＢＳ＿ＵＮＡＶＡＩＬＡＢＬＥメッセージに原因の種類を含めることによって、または原因の種類を搬送する別のメッセージを送ることによって指示することができる。分断や利用不能の状態は、例えば、それだけに限らないが、ネットワークが現在のセルにおいてＣＢＳをサポートしていない、ＣＴＣＨの受信状態が非常に悪い、ＷＲＴＵに、現在ＣＢＳを処理するのに十分な処理帯域幅やメモリなどのリソースがないなど、多様な理由によって生じ得る。これらの原因を１つ１つ列挙することができ、列挙識別子（ｅｎｕｍｅｒａｔｉｏｎ  ｉｄｅｎｔｉｆｉｅｒ）を使用して分断の原因を伝えることができる。
【００２２】
ＢＭＳが利用できないことがＢＭＣ２５６に通知されると、ＢＭＣ２５６は、ＮＡＳ２６０にメッセージを送って、ＢＭＳが利用できないことをＮＡＳ２６０に知らせる（ステップ２２６）。ＢＭＣ２５６は、ＢＭＣ＿ＥＲＲＯＲ＿ＩＮＤを送って、エラーの存在をＮＡＳ２６０に指示する。ＢＭＣ２５６は、好ましくは、エラーの原因（ＣＢＳ＿ＵＮＡＶＡＩＬＡＢＬＥ）をＢＭＣ＿ＥＲＲＯＲ＿ＩＮＤに含めて、ＢＭＳが分断されている、または利用できないことを、前述のように指示する。
【００２３】
別の実施形態では、ＲＲＣ２５８は、ＮＡＳ２６０にＢＭＳの分断を直接知らせることができるが、ＢＭＣ２５６がＮＡＳ２６０に知らせる方が好ましい。というのは、ＢＭＣ２５６は、ＮＡＳ２６０にエラー情報を伝えるために定義された既存のインターフェース（ＢＭＣ＿ＥＲＲＯＲ＿ＩＮＤ）を有するからである。次に、ＮＡＳ２６０は、ＢＭＳが利用できないことをユーザに通知する（ステップ２２８）。
【００２４】
ＢＭＣ２５６は、サービスが利用できないという情報を利用して、ＢＭＳが再開するときにスケジュールメッセージを受け取り次第、新しいＤＲＸスケジュールの生成をそこから開始し得る状態にリセットすることができる。ＢＭＣ２５６は、ＢＭＳを再度利用して効率を高めて電池電力消費を低減できるまで、リソース（処理およびメモリ）を解放し、構成済みのＤＲＸスケジュールを用いた受信メッセージの検査を停止して、休止状態に入ることができる。
【００２５】
ＷＴＲＵ２５０がさらに別のセルに移動する際に、別のセル再選択手順が開始される（ステップ２３０）。ＲＲＣ２５８は、新しいセルでＢＭＳが利用できることを検出した場合、システム情報を検索し、ＣＢ構成に従ってＰＨＹ２５２を構成する（ステップ２３２）。これとは別に、ＲＲＣ２５８はＢＭＣ２５６にサービスが利用できることを伝え、ＢＭＣ２５６は、その休止状態から覚醒し、ＣＴＣＨ受信を再開するようにＰＨＹ２５２を構成するためにＲＲＣ２５８にＳｔａｒｔ＿ＣＢメッセージを送ることもできる。ＰＨＹ２５２は、ＢＭＣスケジュールメッセージを含むすべてのＢＭＳメッセージを受け取り、ＢＭＳスケジュールメッセージをＲＬＣ２５４に転送し（ステップ２３４）、ＢＭＳの通常動作が再開される。
【００２６】
ＰＨＹ２５２によるセルブロードキャストメッセージの受信を開始する現在の機構は、ＲＲＣ２５８がＳＴＡＲＴ＿ＣＢと共にＢＭＣ２５６からＣＢＭＣ＿ＲＸ＿ＩＮＤを受け取ったときにＲＲＣ２５８がＰＨＹ２５２に指示することによるものである。ＣＢＭＣ＿ＲＸ＿ＩＮＤは、３ＧＰＰ規格で定義されている、ＢＭＣ２５６／ＲＲＣ２５８インターフェースでのインターフェースプリミティブである。ＣＢＭＣ＿ＲＸ＿ＩＮＤは、ＲＲＣ２５８がＣＢ受信を開始し（Ｓｔａｒｔ＿ＣＢ）、ＣＢ受信を停止し（Ｓｔｏｐ＿ＣＢ）、不連続受信を開始し（Ｓｔａｒｔ＿ＤＲＸ）、または不連続受信を停止する（Ｓｔｏｐ＿ＤＲＸ）ための命令を含む。
【００２７】
ＲＲＣ２５８は、これらの命令を、これらに基づいて動作するようＰＨＹ２５２に転送する。また、ＣＢＭＣ＿ＲＸ＿ＩＮＤは、Ｓｔａｒｔ＿ＤＲＸ命令が発行されるときにはＤＲＸスケジュールも含むことができる。ＰＨＹ２５２は、ＤＲＸスケジュールを適用し、指示されたＣＴＣＨブロックセットのみを受け取る。単一セルのシナリオにおいては（すなわち、ＷＲＴＵがセルを変更しないときには）、ＲＲＣ２５８は、ＢＭＣ２５６からのＳｔａｒｔ＿ＣＢメッセージの受信時にすべてのＣＴＣＨブロックセットの受信を開始するようにＰＨＹ２５２を構成する。ＢＭＣ２５６は、次のスケジューリング期間でのＤＲＸスケジュールの準備が整うと、Ｓｔａｒｔ＿ＤＲＸと共にＣＢＭＣ＿ＲＸ＿ＩＮＤプリミティブで、受信すべきＣＴＣＨブロックセットを指示するＤＲＸスケジュールをＲＲＣ２５８に送る。ＲＲＣ２５８は、これに基づいて動作するようこれをＰＨＹ２５２に転送する。
【００２８】
ＢＭＣ２５６は、新しいＤＲＸスケジュールを導出すると、これをやはりＣＢＭＣ＿ＲＸ＿ＩＮＤでＲＲＣ２５８に送る。ユーザが加入契約を変更し、または実際に受け取られ、構成されたＣＴＣＨブロックセットの不整合が観測された場合、ＢＭＣ２５６は、ＲＲＣ２５８に、Ｓｔｏｐ＿ＤＲＸと共にＣＢＭＣ＿ＲＸ＿ＩＮＤを送ることができる。ＲＲＣ２５８は、これをＰＨＹ２５２に転送し、ＰＨＹ２５２は、すべてのＣＴＣＨブロックセットの受信および転送を開始する。セルブロードキャスト受信を終了させるために、ＢＭＣ２５６は、Ｓｔｏｐ＿ＣＢと共にＲＲＣ２５８にＣＢＭＣ＿ＲＸ＿ＩＮＤを送ることができる。ＷＲＴＵがセルを変更するとき、ＢＭＣ２５６には、セル再選択が知らされず、したがって、行き詰まりの問題が起こり得る。
【００２９】
本発明によれば、ＢＭＣ２５６はセル再選択の知識を持たないため、ＲＲＣ２５８は、ＢＭＳ受信の状態（ＢＭＣ２５６によって送られたＳＴＡＲＴ＿ＣＢ／ＳＴＯＰ＿ＣＢ）を維持し、セル再選択後に同じ状態を用いてＰＨＹ２５２を構成する。ＣＢＳ受信の状態は、ＢＭＣ２５６で、そのパラメータとしてＳＴＡＲＴ＿ＣＢまたはＳＴＯＰ＿ＣＢを用いるＣＢＭＣ＿ＲＸ＿ＩＮＤメッセージによって構成される。
【００３０】
ＲＲＣ２５８は、ＷＴＲＵ２５０がＣＢＳの利用できる新しいセルに移動するまで、最後に知られているＣＢＳ受信状態を維持する。ＲＲＣ２５８は、ＣＢＳが利用できるかどうか認識し、セル再選択後に、ＰＨＹ２５２にＣＢＳ状態情報ＳＴＡＲＴ＿ＣＢまたはＳＴＯＰ＿ＣＢを送る。物理層は、すべてのブロックセットの取得およびそれらのＲＬＣ２５４への転送を開始し、ＲＬＣ２５４はそれをＢＭＣ２５６に送る。次にＢＭＣ２５６は、次のスケジュールメッセージを取得し、ＤＲＸ選択リストを再構築し、それを、ＲＲＣ２５８を介してＰＨＹ２５２に渡す。これが通常のＢＭＣ動作を復元する。
【００３１】
本発明の特徴および要素を、好ましい実施形態において特定の組合せで説明しているが、各特徴および要素は、好ましい実施形態のその他の特徴および要素なしで、単独で使用することもでき、本発明の他の特徴および要素との、またはそれらなしでの様々な組合せとして使用することもできる。
【図面の簡単な説明】
【００３２】
【図１】先行技術によるＢＭＳ操作を示す信号流れ図である。
【図２】本発明によるＷＴＲＵを構成するエンティティ間のＢＭＳ操作を示す信号流れ図である。
【図１】
2007513577.tif 000003
【図２】
2007513577.tif 000004
【国際調査報告】
2007513577.tif 000005